(57)【特許請求の範囲】
【請求項１】
複数の操作ボタンと、
回動中心に対して半径方向に伸びる長穴を有し、前記操作ボタンを開閉可能に覆う回動カバーと、
回動中心に対して周径方向に伸びるガイド穴を有し、前記操作ボタンが配置されるとともに前記回動カバーを支持する保持部材と、
前記回動カバーの開放位置と閉止位置とを、前記回動カバーの前記長穴に回転可能に係止される先端部および前記保持部材に回転可能に係止される後端部とを有するねじりコイルばねの張力の変化により切り替える開閉機構とを備えたビデオカメラの回動カバー開閉装置であって、
前記ねじりコイルばねの前記先端部が、前記回動カバーの回動に連動して、前記ガイド穴に規制されながら、前記長穴に沿って前記回動カバーの回動中心に対して半径方向に滑動することを特徴とするビデオカメラの回動カバー開閉装置。
【発明の詳細な説明】
【０００１】
【発明の属する技術分野】
本発明は、ビデオカメラの回動可能なカバー（以下、回動カバーという）の開閉装置に関するものである。
【０００２】
【従来の技術】
近年、ビデオカメラの小型化は目覚ましく、ビデオカメラ本体の各外面の投影面積は一般的に減少する傾向にあるため、ビデオカメラを操作するためのボタン（操作ボタン）等を配置可能な箇所も制約されている。しかしながら、その反面、カメラの多機能化や、デザインの差別化により操作ボタンの数は、むしろ増える傾向になっている。
【０００３】
また操作性の面から考えると、多数の操作ボタンが単に整然と並んでいたのでは選択使用上の混乱を招き、操作が難しいという印象を与えてしまい、著しくビデオカメラの操作性を損なうこととなる。このため、多数の操作ボタンを限られた場所に使い易く配置することが求められている。
【０００４】
そのため、回動カバーを設け、そのカバーの上面にビデオカメラの撮影時に使用頻度の高い操作ボタンを配置し、ビデオカメラの再生時に使用する操作ボタンを、回動カバーの下部の本体部に配置し、ビデオカメラの再生時に使用する操作ボタンを回動カバーで覆ってしまい、再生時には、回動カバーを回動してビデオカメラの再生時に使用する操作ボタンを操作する。
【０００５】
また、特殊な機能設定等に使う使用頻度の低い操作ボタンを、回動カバーで覆ってしまい、表面に露出した操作ボタンの数を減らし、使用上の混乱や誤動作を防ぎ操作性を向上させる等の方法が知られている。
【０００６】
【発明が解決しようとする課題】
しかしながら、従来のこの種の回動カバーは操作性を向上させるために、回動カバーが閉じた位置及び開ききった位置で任意の回動力以下ではそれぞれ回動が阻止されなくてはならない。そのために回動カバーに凸部を、そして本体部に回動カバーの凸部と係合する凹部を、回動カバーが閉じた位置及び開ききった位置でそれぞれ係合するような位置関係に設けたクリック機構等が備えられているが、この構成では回動カバーの回動の耐久性に問題を有している。
【０００７】
また、凸部と凹部との摺動部に擦過によって粉が発生し、見栄えが悪いだけでなく本体内部に侵入すると故障の原因ともなってしまうという問題をも併有している。また、回動カバーを回動の途中で停止させることも可能であるため、操作性の上でも問題を有している。
【０００８】
また、回動カバー上の任意の場所にねじりコイルばねの一方の腕を回動可能に係合し、もう一方のねじりコイルばねの腕を本体部の固定部に回動可能に係合し、回動カバーが任意の回動角まで開くまでは、回動カバーが絶えず回動カバーを閉める方向に常時ねじりコイルばねのばね付勢力を受けて押圧され、任意の回動角を超え回動カバーを回動させると、絶えず回動カバーを開ききる方向に常時ばね付勢力を受けるようにしたものもあるが、この場合ねじりコイルばねを設置するためのスペースが十分に必要となるため、操作ボタンを配置できる場所が制約を受けてしまうという、相反した結果となってしまう問題を有している。
【０００９】
また、操作フィーリングの面でもねじりコイルばねのへたりや、スペース上の制約から、操作フィーリングの優れた回動カバーを提供するのが困難であるという問題をも含んでいる。
【００１０】
本発明は、以上のような従来の各問題点を解消するために、ねじコイルばねの移動軌跡を規制することにより、省スペースにねじりコイルばねを設置することが可能となると共に、回動カバーの回動に伴う、ねじりコイルばねのばね付勢力の変化を調整でき、回動カバーの開閉操作フィーリングを向上させることが可能であるビデオカメラの回動カバー開閉装置を提供することを目的とする。
【００１１】
【課題を解決するための手段】
このため、本発明においては、複数の操作ボタンと、回動中心に対して半径方向に伸びる長穴を有し、前記操作ボタンを開閉可能に覆う回動カバーと、回動中心に対して周径方向に伸びるガイド穴を有し、前記操作ボタンが配置されるとともに前記回動カバーを支持する保持部材と、前記回動カバーの開放位置と閉止位置とを、前記回動カバーの前記長穴に回転可能に係止される先端部および前記保持部材に回転可能に係止される後端部とを有するねじりコイルばねの張力の変化により切り替える開閉機構とを備えたビデオカメラの回動カバー開閉装置であって、前記ねじりコイルばねの前記先端部が、前記回動カバーの回動に連動して、前記ガイド穴に規制されながら、前記長穴に沿って前記回動カバーの回動中心に対して半径方向に滑動するようビデオカメラの回動カバー開閉装置を構成することにより、前記目的を達成しようとするものである。
【００１２】
【作用】
以上のような本発明構成により、ねじコイルばねの移動軌跡を規制することにより、省スペースにねじりコイルばねを設置することが可能となると共に、回動カバーの回動に伴う、ねじりコイルばねのばね付勢力の変化を調整でき、回動カバーの開閉操作フィーリングを向上させることが可能であるビデオカメラの回動カバー開閉装置を提供することができる。
【００１３】
【発明の実施の形態】
以下に、本発明の実施の形態を、一実施例に基づき、図面を用いて詳細に説明する。
【００１４】
【実施例】
図１に、本発明に係る一実施例のビデオカメラの回動カバー開閉装置を備えたビデオカメラの側面図を示す。図中、１は電子ビューファインダ（ＥＶＦ）、２は撮像レンズ、３は録音マイク、そして、ビデオカメラ本体４の内部に、図示していないＶＴＲ装置が収容されている。ビデオカメラ本体４に、モードダイヤル５、回動カバー６、液晶パネル７が備えられている。さらに、ビデオカメラ本体４に備えられた各操作ボタン８は、回動カバー６に覆われている。
【００１５】
そして、モードダイヤル５によって電源のオン／オフ、録画モード及び再生モードの切り換え等を行い、そのモードに応じたテープカウンタなどの情報が液晶パネル７に表示される。また、カウンタリセット等の液晶パネル７の表示切り換えを行う場合には、回動カバー６を回動させ、回動カバー６に覆われている操作ボタン８を露出させ、操作ボタン８を操作すると、ビデオカメラ本体４の内部の不図示の電気信号処理回路に電気信号が入力され、液晶パネル７の表示が切り替わる。
【００１６】
以下、本実施例の回動カバー開閉装置の具体的構成を、図２の分解斜視図を用いて説明する。９は液晶の保護や、美的外観を向上させるための液晶ウインドウで、円形状の透明部材である。１０は液晶リングで、中心部に角形状の穴１０ａを有しており、この穴を透して、液晶パネル７の表示を確認することができる。そしてこの液晶リング１０に、前述の液晶ウインドウ９が取り付けられ、さらに液晶リング１０は、液晶パネル７を挟んで液晶ホルダ１１に、不図示のねじによって固定し取り付けられる。この時、液晶パネル７に取り付けられたフレキ７ａは、液晶ホルダ１１に設けられたスリット穴１１ａを貫通して後述するプリント基板１２に配線される。
【００１７】
モードダイヤル５は、中心に軸穴５ａを有しており、この軸穴５内に液晶ホルダ１１が挿入され、後述する第２の保持部材１７に、ねじ止される。また、モードダイヤル５の下面部に、軸穴５ａとほぼ同一の穴を有する円板状の回転板１３が不図示のねじによって取り付けられる。そして回転板１３裏面には、摺動子１４が取り付けられ、摺動子１４が、モードダイヤル５の回転動作に伴って回転する。さらに、モードダイヤル５は、外周部の内壁面に歯車状の突起が形成され、この突起とクリックばね１５の突起部１５ａが係合関係に構成されている。そしてクリックばね１５は、第１の保持部材１６に設けられた円形の溝１６ａに係合している。すなわち、モードダイヤル５の各モード位置においてクリック感を生ずるようなクリック機構が設けられている。
【００１８】
第１の保持部材１６の下面には、モードフレキ１４が、不図示のねじによって取り付けられている。このモードフレキ１４には、モードダイヤル５の回転検出手段となる導電パターン１４ａが形成されている。そして前記回転板１３に取り付けられた摺動子１４が、モードダイヤル５の回転動作に伴ってモードフレキ１４の動電パターン１４ａ上を電気的に接触しながら摺動する。
【００１９】
また第１の保持部材１６は、回動カバー６の軸穴６ａに嵌合する軸部を具備しており、この軸部と回動カバー６の軸穴６ａとが嵌合するように、第１の保持部材１６は第２の保持部材１７（保持部材）に、不図示のねじによって取り付けられ、回動カバー６を支軸している。第２の保持部材１７の下面には、操作ボタン８が取り付けられている。さらに、操作ボタン８の下面にプリント基板１２が不図示のねじによって第２の保持部材１７に取り付けられている。プリント基板１２には、スイッチ１２ａが実装されており、操作ボタン８の押圧操作によって、スイッチ１２ａが押され、不図示の電気信号処理回路に電気信号が入力される。
【００２０】
回動カバー６に設けられた支持片６ｂには、長円状の穴が形成されており、この長円状の穴を貫通して、段付きの軸ピン１８が取り付けられている。さらに、段付きの軸ピン１８は、ねじりコイルばね１９の片方の腕の先端部に形成された軸穴１９ａ及び、第２の保持部材１７に設けられたガイド穴１７ａ及び、ポリスライダ２０を順に貫通して止め金具２１によって先端部が係止されている。
【００２１】
これにより、ねじりコイルばね１９の軸穴１９ａが先端部に形成された方の腕は、その先端部が段付きの軸ピン１８を中心に回動すると共に、支持片６ｂの長穴状の穴を摺動する。
【００２２】
また、ねじりコイルばね１９の他端（後端部）は、垂直に曲げられ、第２保持部材１７に形成された支持穴１７ｂに係止されている。これにより、ねじりコイルばね１９のもう一方の腕は、支持穴１７ｂを中心に回動する。
【００２３】
以上のように構成された回動カバー装置について、その動作を説明する。図３、図４は、それぞれ回動カバー開閉装置を閉じた状態及び開いた状態を示す同装置の各平面図である。ねじりコイルばね１９のばね付勢力によって回動カバー６は絶えず、第２の保持部材１７の受け面１７ｃに押圧され、閉じた位置で任意の回動力以下では回動が阻止されるものである。
【００２４】
ねじりコイルばね１９のばね付勢力に勝る回動力で回動カバー６の取っ手６ｃを操作して回動カバー６を回動させると、第２の保持部材１７に設けられたガイド穴１７ａに貫通させて係止された段付きの軸ピン１８は、ガイド穴１７ａに規制されながら回動カバー６に設けられた支持片６ｂの長円状の穴を、回動中心方向に滑動する。
【００２５】
そして、ねじりコイルばね１９は、さらに巻き付けられ、ばね付勢力が増していくが、段付き軸ピン１８が回動中心方向に滑動することにより、ばね付勢力の増大を緩和することができ、滑らかな操作フィーリングの回動カバーの開閉操作が可能となる。そして、任意の回動角（実施例では、図３の破線で示す４０度）でばね付勢力は最大となる。
【００２６】
さらに、回動カバー６を回動させると、ねじりコイルばね１９の巻き戻す付勢力によってガイド穴１７ａに規制されながら軸ピン１８が滑動するため、回動カバー６は開く方向に回動する。そして回動カバー６に設けられた係合片６ｄと、第２の保持部材１７に設けられた係合片１７ｂとが係合するまで回動カバー６は回動するが、ばね付勢力は、さらに回動させようと働くため、回動カバー６は、開いた位置で任意の回動力以下での回動が阻止されるものである。
【００２７】
この一連の動作において、ねじりコイルばね１９の移動軌跡は、回動カバー６の外周円と、内周円との間を移動するためのものであり、極めて省スペース的な開閉装置となっている。また、ガイド穴１７ａの形状を調整することにより、回動カバー６の開閉操作フィーリングを自在に設定することが可能となる。
【００２８】
【発明の効果】
以上説明したように、本発明による回動カバー開閉装置は、複数の操作ボタンと、前記操作ボタンを開閉可能に覆う回動カバーと、前記回動カバーの開放位置と閉止位置とをねじりコイルばねの張力の変化により切り替える開閉機構とを備えたビデオカメラの回動カバー開閉装置であって、回動カバーに係止されたねじりコイルばねの腕の先端部が、回動カバーの保持部材に設けられたガイド穴に規制されながら回動カバーの回動に連動して回動中心方向に滑動する構成としたため、省スペースでの開閉装置が可能となり、ビデオカメラが小型化でき、さらに、操作ボタンの配置の自由度をも増すという効果を有する。また、回動カバーの開閉操作フィーリングも自在に設定できるという効果をも有する。
【図面の簡単な説明】
【図１】  実施例のビデオカメラの側面図
【図２】  実施例の回動カバー開閉装置の分解斜視図
【図３】  実施例の回動カバー開閉装置の閉じた状態の平面図
【図４】  実施例の回動カバー開閉装置の開いた状態の平面図
【符号の説明】
１  電子ビューファインダ
２  撮像レンズ
３  録音マイク
４  ビデオカメラ本体
５  モードダイヤル
５ａ  軸穴
６  回動カバー（回動可能なカバーに対応）
６ａ  軸穴
６ｂ  支持片
６ｃ  取っ手
６ｄ  係合片
６ｂ  支持片
７  液晶パネル
７ａ  フレキ
８  操作ボタン
９  液晶ウインドウ
１０  液晶リング
１０ａ  角穴
１１  液晶ホルダ
１１ａ  スリット穴
１２  プリント基板
１２ａ  スイッチ
１３  回転板
１４  摺動子
１４ａ  導電パターン
１５  クリックばね
１５ａ  突起部
１６  第１の保持部材
１６ａ  溝
１７  第２の保持部材（保持部材に対応）
１７ａ  ガイド穴
１７ｂ  支持穴
１７ｃ  受け面
１７ｄ  係合片
１８  軸ピン
１９  ねじりコイルばね
１９ａ  軸穴
２０  ポリスライダ
２１  止め金具
【図１】
0003768628.tif 000002
【図２】
0003768628.tif 000003
【図３】
0003768628.tif 000004
【図４】
0003768628.tif 000005